(57)【要約】【課題】机上へ画像を投影する表示装置及び机上に置いた原稿の画像を取り込む読取装置を共に有する装置本体部について、画像を外部に対して入出力する光学レンズの位置に配慮した把持部を設けることで、該装置本体部に表示・読取障害を発生させることがなく、かつ安全な運搬が可能な入出力装置及び入出力装置の把持方法を提供する。【解決手段】机上Ｄの所定領域Ｅへ画像を投影する表示装置１、机上Ｄの所定領域Ｅに置いた原稿の画像を取り込む読取装置２が一体化された装置本体部３と、該装置本体部３を持ち上げるための把持部４とを具備し、把持部４は、表示装置１及び読取装置２の光路の一部をなす光路開口５が存在しない筐体１０の背面１０Ｂに、使用者の手の指が挿入可能な凹部６を有し、内部には、使用者の指先Ｆが当接可能な支持部材７が設置されている。【選択図】図１
2020182131.tif 000002
【特許請求の範囲】
【請求項１】
机上の所定領域へ画像を投影する表示装置、及び机上の所定領域に置いた原稿の画像を取り込む読取装置が脱着自在に一体化される装置本体部と、
該装置本体部を持ち上げるための把持部と、を具備し、
前記把持部は、前記表示装置及び読取装置の光路の一部をなす光路開口が存在しない筐体の背面に設けられて、使用者の手の指が挿入可能な凹部を有し、
前記凹部内には、使用者の指先が当接可能な支持部材が設置されていることを特徴とする入出力装置。
【請求項２】
前記支持部材は、前記筐体の背面の一部として設けられることを特徴とする請求項１に記載の入出力装置。
【請求項３】
前記支持部材は前記筐体の背面に形成された凹部開口の上部に位置しかつ水平方向に延びる棒状部材により構成されることを特徴とする請求項１又は２のいずれか１項に記載の入出力装置。
【請求項４】
前記装置本体部の筐体の背面には、前記凹部開口に対応した貫通口を有するカバー部材が脱着自在に設置されることを特徴とする請求項３に記載の入出力装置。
【請求項５】
前記凹部は、前記装置本体部の筐体の天面に貫通する形状であることを特徴とする請求項１〜４のいずれか１項に記載の入出力装置。
【請求項６】
前記背面の凹部開口から前面側への奥行は、前記凹部開口に手を入れた状態で、手の指が天面の上部開口に到達し得ない距離を有することを特徴とする請求項５に記載の入出力装置。
【請求項７】
前記装置本体部を構成する前記表示装置及び読取装置は、画像を投稿しかつ原稿を読み取り可能な机上の所定領域の垂直方向よりも外側に設置されることを特徴とする請求項１〜６のいずれか１項に記載の入出力装置。
【請求項８】
前記装置本体部は、前記表示装置及び読取装置が互いに隣接する隣接面の連結部を介して一体化又は分離可能に設けられていることを特徴とする請求項１〜７のいずれか１項に記載の入出力装置。
【請求項９】
机上の所定領域へ画像を投影する表示装置、及び机上の所定領域に置いた原稿の画像を取り込む読取装置が脱着自在に一体化される装置本体部を有する入出力装置の把持方法であって、
前記表示装置及び読取装置の光路の一部をなす光路開口が存在しない筐体の背面に、使用者の手の指が挿入可能な凹部を有する把持部を設けた上で、該凹部内に、使用者の指先が当接可能な支持部材を設置することを特徴とする入出力装置の把持方法。
【発明の詳細な説明】
【技術分野】
【０００１】
本発明は、机上へ画像を投影する表示装置（プロジェクタ）と、机上に置いた原稿の画像を取り込む読取装置（イメージスキャナ）とを共に有する入出力装置及び入出力装置の把持方法に関する。
【背景技術】
【０００２】
金融機関や冠婚葬祭、不動産等の業種では、顧客と対面した方式で商談・相談する機会が増大している。
相談・商談を行う場合には、応接室や接客用の個室、又はパーテーションで仕切られた接客コーナーを利用することが一般的である。
【０００３】
このような場所においては、顧客に対して資料を提示し各種の説明を行う、又は顧客から本人確認資料を受け取る、予め用意してもらった記入済の文書などを受け取るといった作業が多々行われる。
このとき、顧客に対応する担当者は、ディスプレー機器やタブレット機器を用いて資料の提示を行い、また、顧客から受け取った資料・文書について、別の場所にある複合機やイメージスキャナ装置を用いて画像取得することが一般的である。
【０００４】
応接室、接客用個室又接客コーナーで利用可能な機器として、特許文献１に示される複合装置が知られている。
この複合装置は、画像を投影するプロジェクタユニットと、載置台に載置された撮影対象物を撮影するスキャナユニットとが同一の筐体内に収納された構成とされ、全体が箱型形状に形成されている。
しかしながら、このような複合装置では、プロジェクタユニットとスキャナユニットとが一体化することで全体が大型化することになり、持ち運びが不便になるという問題が生じる。
【０００５】
そして、この問題を解決するために、例えば特許文献２では、ミシンを収納する箱型状のケースの上部に、取っ手となる貫通孔を設け、この取っ手を使用者が把持することにより、ミシンケースに収納されたミシンを搬送可能とする技術が示されている。
【先行技術文献】
【特許文献】
【０００６】
【特許文献１】特開２０１８−１７４５０６号公報
【特許文献２】特開２００２−１７７６８４号公報
【発明の概要】
【発明が解決しようとする課題】
【０００７】
ところで、特許文献１に示される複合装置に、特許文献２に示される取っ手を取り付けた場合に、該複合装置を運搬可能とすることができる。
しかしながら、特許文献２に示される取っ手は、単にミシン及びミシンケースを運搬するだけのものであり、特許文献１に適用する場合には、特許文献１に示される複合装置に特有な構成を考慮に入れる必要がある。
具体的には、特許文献１，２を単に組み合わせた場合には、複合装置の前側に位置する光学レンズに、利用者の手が触れてしまい、指紋、汚れなどの付着物により光学レンズの特性に悪影響を及ぼすという不具合が生じ、この点について新たな技術提供が期待されていた。
【０００８】
この発明は、上述した事情に鑑みてなされたものであって、机上へ画像を投影する表示装置及び机上に置いた原稿の画像を取り込む読取装置を共に有する装置本体部について、画像を外部に対して入出力する光学レンズの位置に配慮した把持部を設けることで、該装置本体部に表示・読取障害を発生させることがなく、かつ安全な持ち上げ、運搬が可能な入出力装置及び入出力装置の把持方法を提供する。
【課題を解決するための手段】
【０００９】
上記課題を解決するために、この発明は以下の手段を提案している。
本発明の第1態様に示す入出力装置では、机上の所定領域へ画像を投影する表示装置、及び机上の所定領域に置いた原稿の画像を取り込む読取装置が脱着自在に一体化される装置本体部と、該装置本体部を持ち上げるための把持部と、を具備し、前記把持部は、前記表示装置及び読取装置の光路の一部をなす光路開口が存在しない筐体の背面に設けられて、使用者の手の指が挿入可能な凹部を有し、前記凹部内には、使用者の指先が当接可能な支持部材が設置されていることを特徴とする。
【００１０】
本発明の第２態様に示す把持方法は、机上の所定領域へ画像を投影する表示装置、及び机上の所定領域に置いた原稿の画像を取り込む読取装置が脱着自在に一体化される装置本体部を有する入出力装置において、前記表示装置及び読取装置の光路の一部をなす光路開口が存在しない筐体の背面に、使用者の手の指が挿入可能な凹部を有する把持部を設けた上で、該凹部内に、使用者の指先が当接可能な支持部材を設置することを特徴とする。
【発明の効果】
【００１１】
本発明によれば、表示装置及び読取装置からなる装置本体部に表示・読取障害を発生させるという不具合を未然に防止し、かつ装置本体部を安定した状態で持ち上げ、運搬することが可能となる。
【図面の簡単な説明】
【００１２】
【図１】本発明に係る入出力装置を示す概略構成図であって、（Ａ）は後方から視た斜視図、（Ｂ）は（Ａ）のＢ−Ｂ線に沿う断面図である。
【図２】本発明の第１実施形態に係る入出力装置を示す斜視図である。
【図３】図１の入出力装置にカバー部材を取り付けた状態の斜視図である。
【図４】本発明の第２実施形態に係る入出力装置を示す斜視図である。
【図５】図４のＶ−Ｖ線に沿う断面図である。
【発明を実施するための形態】
【００１３】
本発明に係る入出力装置１００について、図１を参照して説明する。
この入出力装置１００は、画像を投影する表示装置１及び画像を取り込む読取装置２が脱着自在に一体化された装置本体部３と、装置本体部３を持ち上げるための把持部４とを具備する。
【００１４】
表示装置１は、机に置かれた状態で、机の上面（以下、机上Ｄと表現する）の所定領域Ｅへ画像を投影する。
読取装置２は、同様に机に置かれた状態で、机上Ｄの所定領域Ｅに置いた原稿の画像を取り込みスキャンする。
また、表示装置１及び読取装置２では、画像を投影する又は画像を読み取る際の光路の一部をなす、換言すれば、光の進行経路と交差する光路開口５が、装置本体部３の筐体（符号１０で示す）における前面１０Ａの段部下側に設けられている。
【００１５】
把持部４は、表示装置１及び読取装置２の投影又は読取光路の一部をなす光路開口５が存在しない筐体１０の背面１０Ｂに設けられて、使用者の手の指が挿入可能な凹部６を有している。
この凹部６内には、使用者の手の指先（符号Ｆで示す）が当接可能な支持部材７が設置されている。なお、図１の支持部材７は、筐体１０の背面１０Ｂの一部として設けられている。
【００１６】
以上のような入出力装置１００によれば、机上Ｄの所定領域Ｅへ画像を投影する表示装置１、及び机上Ｄの所定領域Ｅに置いた原稿の画像を取り込む読取装置２が一体化される装置本体部３に、該装置本体部３を持ち上げるための把持部４を設けるようにした。
この把持部４は、表示装置１及び読取装置２の投影又は読取光路の一部をなす光路開口５が存在しない背面１０Ｂに、使用者の手の指が挿入可能な凹部６を有し、この凹部６内に、使用者の指先Ｆが当接可能な支持部材７が設置される構成である。
【００１７】
そして、以上のような入出力装置１００では、利用者の手が表示装置１及び読取装置２の光路開口５の光路を遮らないので、装置本体部３に表示・読取障害を発生させるという不具合を未然に防止し、かつ凹部６内に挿入した手の指先Ｆを、凹部６内に設けた支持部材７に当接させつつ、装置本体部３を安定した状態で持ち上げ、運搬することが可能となる。
【００１８】
（第１実施形態）
本実施形態に係る入出力装置１０１について、図２及び図３を参照して説明する。
この入出力装置１０１は、図２に示されるように、画像を投影する表示装置としてのプロジェクタ１１及び画像を取り込む読取装置としてのイメージスキャナ１２が脱着自在に一体化されることで、装置本体部１３を構成している。
【００１９】
なお、これらプロジェクタ１１とイメージスキャナ１２は、プロジェクタ１１及びイメージスキャナ１２が横並びでかつ隣接面に設置された連結部（図示略）を介して、一体化又は離脱が行われる。
これら装置本体部１３を構成するプロジェクタ１１及びイメージスキャナ１２はほぼ同じ高さに形成されており、一体化した場合に直方体を形成する。
また、装置本体部１３は、連結部（図示略）によりプロジェクタ１１及びイメージスキャナ１２が一体化した状態で、机上Ｄの中央に位置する所定領域Ｅの周縁部付近に設置される。
【００２０】
また、プロジェクタ１１及びイメージスキャナ１２からなる装置本体部１３の筐体２０には、利用者の把持により、装置本体部１３を持ち上げるための把持部１４が設けられている。この把持部１４は、装置本体部１３の筐体２０の背面２０Ｂに設置されるものであるが、把持部１４についての詳細は後述する。
【００２１】
また、プロジェクタ１１は画像を出力する画像投影部（図示略）を有している。この画像投影部から出力された画像は、装置本体部１３の筐体の前面２０Ａに位置する段部下側の光路開口１５を通じて机上Ｄの所定領域Ｅへ投影される。なお前記光路開口１５は、筐体の前面２０Ａを貫通する開口であって、単なる開口である場合に限らず、ガラス板等の透明な（光線を透過する）光学要素によって塞がれている場合を含むものとする。
また、この机上Ｄの所定領域Ｅには、プロジェクタ１１から投影された画像が表示される他、スキャン対象となる原稿が載置される。
【００２２】
イメージスキャナ１２は、画像を取り込むカメラ型のスキャナ部（図示略）を有している。このスキャナ部では、プロジェクタ１１と同様、装置本体部１３の筐体の前面２０Ａに位置する段部下側の光路開口１５を通じて、机上Ｄの所定領域Ｅ内に載置された原稿の画像を取り込み、スキャンする。
なお、プロジェクタ１１及びイメージスキャナ１２の光学レンズ（図示略）として短焦点、非球面ミラーが使用される。
また、プロジェクタ１１の光学レンズ、及びイメージスキャナ１２の光学レンズの中心は、利用者による動作の影響が及ばない、机上Ｄの所定領域Ｅの上方の領域よりも外側に設置される。
【００２３】
また、装置本体部１３を持ち上げるための把持部１４は、プロジェクタ１１及びイメージスキャナ１２の投影又は読取光路の一部をなす光路開口１５が存在しない筐体２０の背面２０Ｂに設けられ、かつ使用者の手の指が挿入可能な凹部１６を有している。
この凹部１６内には、筐体２０の背面２０Ｂの一部として設けられかつ使用者の手の指先が当接可能な支持部材１７が設置されている。
支持部材１７は、筐体の背面２０Ｂに形成された凹部開口１６Ａの上部に位置しかつ水平方向に延びる２本の棒状部材により構成されるものであって、凹部１６内に挿入された利用者により把持される。
【００２４】
また、装置本体部１３の筐体の背面２０Ｂには、図３に示されるように、凹部開口１６Ａに対応した第１貫通口３０Ａを有するカバー部材３０が設置されている。
このカバー部材３０は、図３に符号Ａで示すように、装置本体部１３の筐体の背面２０Ｂに設けられた係合爪３１を介して、装置本体部１３に脱着自在に設けられている。
そして、このようなカバー部材３０では、装置本体部１３の筐体の背面２０Ｂに取り付けられた状態で、第１貫通口３０Ａを経由して、凹部１６内に利用者の手を挿入させることができる。
また、カバー部材３０には、装置本体部１３の筐体の背面２０Ｂに取り付けられた状態で、装置本体部１３の筐体の背面２０Ｂに位置する電源プラグ３２（図２参照）に接続可能とする第２開口部３０Ｂが設けられている。
【００２５】
以上のような第１実施形態に係わる入出力装置１０１によれば、机上Ｄの所定領域Ｅへ画像を投影するプロジェクタ１１、及び机上Ｄの所定領域Ｅに置いた原稿の画像を取り込むイメージスキャナ１２が一体化される装置本体部１３に、該装置本体部１３を持ち上げるための把持部１４を設けるようにした。
この把持部１４は、プロジェクタ１１及びイメージスキャナ１２の投影又は読取光路の一部をなす光路開口１５が存在しない筐体の背面２０Ｂに、使用者の手が挿入可能な凹部１６を有し、この凹部１６内に、使用者の指先が当接可能な支持部材１７が設置される構成である。
【００２６】
そして、第１実施形態に係わる入出力装置１０１では、利用者の手がプロジェクタ１１及びイメージスキャナ１２の光路開口１５の投影又は読取光路を遮らないので、装置本体部１３に表示・読取障害を発生させるという不具合を未然に防止し、かつ凹部１６内に挿入した手の指先を、凹部１６内に設けた支持部材１７に当接させつつ、装置本体部１３を安定した状態で持ち上げ、運搬することが可能となる。
また、第１実施形態に係わる入出力装置１０１では、使用者の手の指先が当接可能な支持部材１７が棒状部材により構成されているので、該棒状部材の太さ又は数を適宜設定することで、利用者による最適な把持状態を実現することができる。
また、第１実施形態では、支持部材１７となる棒状部材を、装置本体部１３の筐体の背面２０Ｂの一部として設けたが、装置本体部１３に取り付けられるカバー部材３０の第１貫通口３０Ａに、該第１貫通口３０Ａを水平方向に横断するように設置し、これにより筐体２０の構成を簡素化しても良い。
【００２７】
（第２実施形態）
第２実施形態に係る入出力装置１０２について、図４及び図５を参照して説明する。なお、第２実施形態では、第１実施形態と構成を共通にする箇所に同一符号を付す。
【００２８】
第２実施形態に係る入出力装置１０２が、第１実施形態に係る入出力装置１０１と構成を異にするのは、装置本体部１３の筐体２０内に形成された凹部の構成である。
具体的には、第２実施形態に係る入出力装置１０２の凹部１６´は、装置本体部１３の筐体２０の天面２０Ｃへ貫通する上部開口１６Ｂを有するように形成されている。
さらに、この凹部１６´では、筐体の背面２０Ｂの凹部開口１６Ａから前面側への奥行（図５に符号Ｌで示す）が、凹部開口１６Ａに手を入れた状態で、手の指が天面の上部開口に到達し得ない距離を有する。
【００２９】
そして、以上のような第２実施形態に係る入出力装置１０２では、装置本体部１３の筐体天面２０Ｃに貫通する上部開口１６Ｂを有するように、凹部１６´が形成されているので、凹部１６´に挿入した利用者の手の腹を、支持部材１７に密着させることができ、装置本体部１３の運搬を安定して行わせることが可能となる。
また、上記入出力装置１０２では、筐体の背面２０Ｂの凹部開口１６Ａから前面側への奥行Ｌの距離が、凹部開口１６Ａに手を入れた状態で、手の指が天面の上部開口に到達し得ない範囲に設定されているので、これによっても凹部１６´に挿入した利用者の手の腹を、支持部材１７に密着させることができる。
その結果、上記入出力装置１０２では、装置本体部１３の運搬を安定して行わせることが可能となる。
【００３０】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３１】
本発明は、机上へ画像を投影する表示装置（プロジェクタ）と、机上に置いた原稿の画像を取り込む読取装置（イメージスキャナ）とを共に有する入出力装置及び入出力装置の把持方法に関する。
【符号の説明】
【００３２】
１  表示装置
２  読取装置
３  装置本体部
４  把持部
５  光路開口
６  凹部
７  支持部材
１０  筐体
１０Ａ  （筐体の）前面
１０Ｂ  （筐体の）背面
１１  プロジェクタ
１２  イメージスキャナ
１３  装置本体部
１４  把持部
１５  光路開口
１６  凹部
１６Ａ  凹部開口
１６Ｂ  上部開口
１６´凹部
１７  支持部材
２０  筐体
２０Ａ  筐体の前面
２０Ｂ  筐体の背面
２０Ｃ  筐体天面
３０  カバー部材
１００  入出力装置
１０１  入出力装置
１０２  入出力装置
Ｄ  机上
Ｅ  所定領域
Ｆ  指先
Ｌ  凹部奥行
【図１】
2020182131.tif 000003
【図２】
2020182131.tif 000004
【図３】
2020182131.tif 000005
【図４】
2020182131.tif 000006
【図５】
2020182131.tif 000007
【手続補正書】
【提出日】令和2年4月14日(2020.4.14)
【手続補正１】
【補正対象書類名】特許請求の範囲
【補正対象項目名】請求項７
【補正方法】変更
【補正の内容】
【請求項７】
前記装置本体部を構成する前記表示装置及び読取装置は、画像が投影されかつ置かれた原稿の読み取りが可能な机上の所定領域の垂直方向よりも外側に設置されることを特徴とする請求項１〜６のいずれか１項に記載の入出力装置。